(57)【要約】【課題】  簡単に写真アルバムを作成可能で綴じやすい写真アルバム作成装置の提供。【解決手段】  写真アルバム作成装置１は、外部からの設定入力によりアルバムプリントモードを実行するプリントモード設定部１１と、入力されたコマ画像のうちアルバムに用いる複数のコマ画像を選択するための画像選択部１２と、外部からの選択指令により画像選択部１２によって選択された複数のコマ画像を長尺のペーパーに一連にプリントするためのコマ画像プリント部１３と、プリントされるコマ画像間のペーパーに該ペーパーを蛇腹状に折り畳む山折り指示線と谷折り指示線をプリントするための折り指示線プリント部１４とを備えてなり、ペーパーＡを山折り指示線４１および谷折り指示線４２で折り畳んで蛇腹状に形成されるアルバムページの、奇数番目のページのペーパー先端部および偶数番目のページのペーパー後端部に綴じ穴をそれぞれ穿孔した構成にしてある。【選択図】  図１
2007030481.tif 000002
【特許請求の範囲】
【請求項１】
外部からの設定入力によりアルバム用プリントモードを実行するプリントモード設定部と、入力されたコマ画像のうちアルバムに用いる複数のコマ画像を選択するための画像選択部と、外部からの選択指令により画像選択部によって選択された複数のコマ画像を長尺のペーパーに一連にプリントするためのコマ画像プリント部と、プリントされるコマ画像間のペーパーに該ペーパーを蛇腹状に折り畳む山折り指示線と谷折り指示線をプリントするための折り指示線プリント部と、ペーパーに穿孔する穿孔装置とを備えてなり、ペーパーを前記山折り指示線および谷折り指示線で折り畳んで蛇腹状に形成されるアルバムページの、奇数番目のページのペーパー先端部および偶数番目のページのペーパー後端部に、前記穿孔装置により綴じ穴を穿孔することを特徴とする写真アルバム作成装置。
【請求項２】
外部からの設定入力によりアルバム用プリントモードを実行するプリントモード設定部と、入力されたコマ画像のうちアルバムに用いる複数のコマ画像を選択するための画像選択部と、外部からの選択指令により画像選択部によって選択された複数のコマ画像を長尺のペーパーに一連にプリントするためのコマ画像プリント部と、プリントされるコマ画像間のペーパーに該ペーパーを蛇腹状に折り畳む山折り指示線と谷折り指示線をプリントするための折り指示線プリント部と、コマ画像中の顔画像の上方向をペーパー排出方向について前向きまたは後向きに予め指定している顔方向指定部と、目、鼻、口、耳などに係る多数の顔細部画像データを予め格納しているデータベース部と、アルバムに用いるコマ画像が画像選択部により選択されたときにデータベース部の顔細部画像データと照合して前記選択されたコマ画像中の顔画像の存在および向きを検出する顔画像検出部と、顔画像検出部により顔画像が検出されたときに当該顔画像を含むコマ画像の向きを変えることにより当該顔画像の上方向を前記顔方向指定部により指定されている顔画像の向きにしてコマ画像プリント部に出力するコマ画像向き調整部とを備えていることを特徴とする写真アルバム作成装置。
【請求項３】
外部からの設定入力によりアルバム用プリントモードを実行するプリントモード設定部と、入力されたコマ画像のうちアルバムに用いる複数のコマ画像を選択するための画像選択部と、外部からの選択指令により画像選択部によって選択された複数のコマ画像を長尺のペーパーに一連にプリントするためのコマ画像プリント部と、プリントされるコマ画像間のペーパーに該ペーパーを蛇腹状に折り畳む山折り指示線と谷折り指示線をプリントするための折り指示線プリント部とを備えてなり、蛇腹状に折り畳まれたペーパーを綴じる位置を指示する綴じ位置マークを、ペーパーの排出方向の先端部にプリントしたことを特徴とする写真アルバム作成装置。
【発明の詳細な説明】
【技術分野】
【０００１】
本発明は、長尺のペーパーに複数の写真画像をプリントして簡単な写真アルバムを作成する写真アルバム作成装置に関するものである。
【背景技術】
【０００２】
従来、カメラ等で撮影した写真等をアルバムにして保存したい場合には、一枚の台紙に切り取った写真を一枚ずつ貼り付け、その台紙を複数枚集めて冊子を作成し、表紙等を用いて製本していた。かかる作業は大変面倒で手間がかかり、特にグループ旅行の写真等、同一内容のアルバムを複数作成したいような場合には、さらに手間を要することとなり望ましくなかった。
これに対し、自宅で手軽にアルバム等を作成したいという要求に応えるための技術が下記の特許文献１に開示されている。この技術は、アルバムを作成するために利用されるシートにおいて、このシートの一方の側縁から対向する他方の側縁に向かい、この他方の側縁近傍に連結部を残した状態でシートのプリント面を分割し、連結部をプリント面とは反対側に折り返してシートを折り畳んで蛇腹状のページを形成するようにしたものである。
【０００３】
【特許文献１】特開２００３−３４１２５２号公報
【発明の開示】
【発明が解決しようとする課題】
【０００４】
しかしながら、上記特許文献１に記載の技術では、用紙を分割するためにシートを切る必要があり、表紙と綴じるべきプリントも分離していて、最終的にはこれらを貼り合せる必要があって手間を要するものであった。また、方形の用紙を分割して折り畳むため、山折り指示線や谷折り指示線がプリントされてはいるものの、折り畳み作業が複雑で難しかった。
【０００５】
本発明は、上記した従来の問題点に鑑みてなされたものであって、簡単に写真アルバムを作成可能で綴じやすい写真アルバム作成装置の提供を目的とする。
【課題を解決するための手段】
【０００６】
上記目的を達成するために、本発明の請求項１に係る写真アルバム作成装置は、外部からの設定入力によりアルバム用プリントモードを実行するプリントモード設定部と、入力されたコマ画像のうちアルバムに用いる複数のコマ画像を選択するための画像選択部と、外部からの選択指令により画像選択部によって選択された複数のコマ画像を長尺のペーパーに一連にプリントするためのコマ画像プリント部と、プリントされるコマ画像間のペーパーに該ペーパーを蛇腹状に折り畳む山折り指示線と谷折り指示線をプリントするための折り指示線プリント部と、ペーパーに穿孔する穿孔装置とを備えてなり、ペーパーを前記山折り指示線および谷折り指示線で折り畳んで蛇腹状に形成されるアルバムページの、奇数番目のページのペーパー先端部および偶数番目のページのペーパー後端部に、前記穿孔装置により綴じ穴を穿孔する構成にしてある。
【０００７】
また、本発明の請求項２に係る写真アルバム作成装置は、外部からの設定入力によりアルバム用プリントモードを実行するプリントモード設定部と、入力されたコマ画像のうちアルバムに用いる複数のコマ画像を選択するための画像選択部と、外部からの選択指令により画像選択部によって選択された複数のコマ画像を長尺のペーパーに一連にプリントするためのコマ画像プリント部と、プリントされるコマ画像間のペーパーに該ペーパーを蛇腹状に折り畳む山折り指示線と谷折り指示線をプリントするための折り指示線プリント部と、コマ画像中の顔画像の上方向をペーパー排出方向について前向きまたは後向きに予め指定している顔方向指定部と、目、鼻、口、耳などに係る多数の顔細部画像データを予め格納しているデータベース部と、アルバムに用いるコマ画像が画像選択部により選択されたときにデータベース部の顔細部画像データと照合して前記選択されたコマ画像中の顔画像の存在および向きを検出する顔画像検出部と、顔画像検出部により顔画像が検出されたときに当該顔画像を含むコマ画像の向きを変えることにより当該顔画像の上方向を前記顔方向指定部により指定されている顔画像の向きにしてコマ画像プリント部に出力するコマ画像向き調整部とを備えていることを特徴とする写真アルバム作成装置。
【０００８】
そして、本発明の請求項３に係る写真アルバム作成装置は、外部からの設定入力によりアルバム用プリントモードを実行するプリントモード設定部と、入力されたコマ画像のうちアルバムに用いる複数のコマ画像を選択するための画像選択部と、外部からの選択指令により画像選択部によって選択された複数のコマ画像を長尺のペーパーに一連にプリントするためのコマ画像プリント部と、プリントされるコマ画像間のペーパーに該ペーパーを蛇腹状に折り畳む山折り指示線と谷折り指示線をプリントするための折り指示線プリント部とを備えてなり、蛇腹状に折り畳まれたペーパーを綴じる位置を指示する綴じ位置マークを、ペーパーの排出方向の先端部にプリントしたことを特徴とする写真アルバム作成装置。
【発明の効果】
【０００９】
本発明に係る写真アルバム作成装置によれば、ペーパーを山折り指示線および谷折り指示線で折り畳んで蛇腹状に形成されるアルバムページの、奇数番目のページのペーパー先端部および偶数番目のページのペーパー後端部に、綴じ穴が穿孔されるので、複数のコマ画像を一連にプリントしたペーパーを折り畳んで写真アルバムとしたときに、それまではペーパー排出方向に沿って並んでいた綴じ穴が一連に連通する。従って、これら一連になった綴じ穴に綴じ紐などを通して結ぶだけで、いとも簡単に写真アルバムを綴じることができる。また、利用者による穿孔の手間も省くことができる。
【００１０】
そして、コマ画像中の顔画像が検出されたときに、コマ画像向き調整部は当該顔画像を含むコマ画像の向きを変えることにより、当該顔画像の向きを顔方向指定部により指定されている顔画像の向きに変えてコマ画像プリント部に出力するので、コマ画像における顔画像の上方向が顔画像指定部により指定されている方向と異なっていたとしても、コマ画像向き調整部の機能によりコマ画像の向きを変えて、顔画像の上方向を自動的に指定方向に向けることができる。これにより、顔画像の上方向がペーパー搬出方向またはその反対方向となっているコマ画像の向きがアルバムページによってチグハグになって見苦しいといったことがなく、整然と美しい写真アルバムを提供することができる。
【００１１】
また、蛇腹状に折り畳まれたペーパーを綴じる位置を指示する綴じ位置マークが、ペーパーの排出方向の先端部にプリントされる場合は、マークをプリントするといった簡素な構成であるにも拘わらず、写真アルバムを綴じる位置を明確に知らせることができる。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る写真アルバム作成装置の機能ブロックを含む構成図である。
図において、この実施形態に係る写真アルバム作成装置１は、アルバム編集装置２と、操作装置４と、表示装置５と、写真画像入力部８と、プリント装置６と、穿孔装置７とから成っている。
アルバム編集装置２は、写真画像データを入力するための写真画像入力部８と接続されており、メモリーカードやＣＤやＤＶＤなどの記憶媒体９や、ＵＳＢケーブルやＩＥＥＥ１３９４ケーブルなどを介して写真画像データを得るようになっている。
図1に示した例では、デジタルカメラによって撮影された写真画像データを記憶媒体９としてのメモリーカードを介して写真画像入力部８からアルバム編集装置２に入力している。アルバム編集装置２では、入力された写真画像データより、写真アルバムに採用する写真画像を選択し、写真画像の色補正やトリミングやサイズ変更等の画像編集を行い、プリント装置６でプリントするためのプリントデータを作成する。作成されたプリントデータはプリント装置６へ送られ、印画紙にプリントされるようになっている。
【００１３】
次に、写真アルバム編集装置２のコントローラ３によって制御される写真アルバム編集機能について説明する。このコントローラ３は、Ｉ／Ｏインターフェース部１０を介して、写真アルバム作成装置１に備えられたキーボードやマウスなどの操作装置４や、ＣＲＴあるいは液晶ディスプレイなどの表示装置５を利用して操作される。また、通信制御部を介してネットワークケーブルによって接続されたオペレータ端末やユーザ端末（いずれも不図示）からの操作によって各種機能を実行することも可能である。以下に、コントローラ３においてハードウェアとソフトウェア（プログラム）との協働によって実現される機能の内、写真アルバムの画像編集に関する部分について説明する。
【００１４】
図１に示すように、コントローラ３は、プリントモード設定部１１、画像選択部１２、コマ画像プリント部１３、折り指示線プリント部１４、綴じ位置マークプリント部１５、顔画像検出部１６、コマ画像向き調整部１７、顔方向指定部１８、綴じ穴形成部１９などの画像処理を行う機能ブロックを有しており、これらは画像データバス２６によって結ばれている。
【００１５】
顔画像検出部１６はデータベース部２１と接続されている。データベース部２１は目、鼻、口、耳、顎など顔を構成する顔細部の画像データを予め大量に格納している。かかる顔細部画像データについては、様々な正面形状、角度を変えて見た斜視形状など膨大な量のデータが格納されている。また、画像データバス２６は、ビデオ制御部２０を介して、編集中の画像を表示装置５に表示するようになっている。上記の画像処理を行う各機能ブロックにおいて画像処理された写真アルバムＡ１のデータは、プリントデータ作成部２２でプリント装置６による画像形成に適したファイルフォーマットのプリントデータに変換され、一時格納メモリ２３でバッファリングされながら、プリント装置６へ送られる。
【００１６】
引続き、上記した構成の写真アルバム作成装置１の動作を説明する。
アルバム編集装置２を起動すると、表示装置５の表示部にメニュー画面が表示される。メニュー画面中には「通常プリントモード」を選択するボタンスイッチと「アルバム用プリントモード」を選択するボタンスイッチが表示されている。オペレータが操作装置４で「通常プリントモード」のボタンスイッチをＯＮすると、コントローラ３のプリントモード設定部１１は通常の写真プリントを行なう通常プリントモードに設定する。
一方で、「アルバム用プリントモード」のボタンスイッチをＯＮにする。すると、プリントモード設定部１１は本実施形態に係る写真アルバムのプリントを行なう写真アルバム用プリントモードを設定し、写真画像入力部８からの写真画像データ入力要求を表示装置５に表示させる。オペレータが記憶媒体９例えばデジタルカメラのメモリーカードの写真画像データを写真画像入力部８から入力すると、画像選択部１２は入力された写真画像データのうち所定コマ数のコマ画像を表示装置５の表示画面３８に、図２のように表示させる。ここでは、入力された総数３６コマの写真画像うち、最初６コマのコマ画像３１〜３６を表示している。
【００１７】
そして、画像選択部１２は、表示されたコマ画像３１〜３６のうちから写真アルバムに用いようとするコマ画像の選択要求を表示装置５に表示させる。ここでは、コマ画像３１〜３６の全てが写真アルバム用としてオペレータにより選択されたものとし、選択順は表示画面３８での表示順であったとする。選択順は表示順でなくても構わないが、プリント順は選択順に従う。
尚、顔方向指定部１８は、図３に示すように、コマ画像中の顔画像３７の上方向（矢印Ｅ方向）がペーパー排出方向（矢印Ｆ方向）について前向き（同図（ａ））であるか、後向き（同図（ｂ））であるかをオペレータによる操作装置４からの指定入力により予め指定している。この例では、顔画像３７の上方向がペーパー排出方向について前向き（同図（ａ））に設定されている。
【００１８】
ここで、図４のフローチャートを用いて各コマ画像における顔画像の向き調整処理を説明する。
顔画像検出部１６はコマ画像ごとにデータベース部２１の顔細部画像データと照合して（ステップＳ１）、目、鼻、口、耳、顎などの顔細部画像データに合致するデータ領域が一定以上あれば顔画像が存在すると認識し（ステップＳ２のＹ）、合致した目、鼻、口、耳、顎などの配置から顔画像の向きを検出する（ステップＳ３）。この場合、顔画像検出部１６によれば、表示画面３８（図２）に示した１番目のコマ画像３１は人物の顔画像３７の上方向（矢印Ｅ方向）がペーパー排出方向（矢印Ｆ方向）を向いており、３番目と６番目のコマ画像３３,３６は人物の顔画像３７の上方向（矢印Ｅ方向）がペーパー排出方向と反対の方向を向いていると検出する。
【００１９】
一方、ステップＳ２において、顔画像検出部１６が顔画像が存在しないと判断すると（Ｎ）、そのコマ画像はその向きのままとされ、ステップＳ６においてそのコマ画像のアルバムページが奇数ページであるか否かが判断される。アルバムページが奇数ページである場合、そのコマ画像はアルバムページ中でプリント位置が後寄せ（ペーパー搬出方向と反対方向）され（ステップＳ７）、アルバムページが偶数ページである場合はアルバムページ中でプリント位置が前寄せ（ペーパー搬出方向）される（ステップＳ８）。このようにアルバムページの偶数奇数に応じてコマ画像を所定方向へ寄せることにより、ペーパーＡの搬出方向の前端４０近傍および谷折り指示線４２の両側近傍に、綴じ位置マーク４４のプリントや綴じ穴４４Ａの穿孔のための余白部Ｂを確保することができる。かかる態様でコマ画像がペーパーＡにプリントされる（ステップＳ１３）。
【００２０】
一方、ステップＳ３で顔画像の上方向が検出されたコマ画像は、その上方向がペーパー搬出方向またはその反対方向であるかがステップＳ４で判断され、ペーパー搬出方向以外またはその反対方向以外の場合（Ｎ）、すなわちコマ画像３２のように顔画像の上方向が短辺方向である場合は先述したステップＳ６〜Ｓ８の処理が実行される。
ステップＳ４において顔画像の上方向がペーパー搬出方向またはその反対方向、すなわち長辺方向である場合（Ｙ）、ステップＳ５において、顔画像の上方向が顔方向指定部１８で指定されている指定方向（この例ではペーパー搬出方向）であるか否かが判断される。顔画像の上方向が指定方向であれば（Ｙ）、先述したステップＳ６〜Ｓ８の処理が実行され、顔画像の上方向が指定方向でなければ（Ｎ）、コマ画像向き調整部１７により、そのコマ画像が１８０度回転されて顔画像の上方向が自動的に指定方向に向けられる。このように回転されたコマ画像はステップＳ１０〜Ｓ１２において先述したステップＳ６〜Ｓ８の処理が実行され、同様にしてコマ画像がペーパーＡにプリントされる（ステップＳ１３）。
【００２１】
従って、コマ画像における顔画像の上方向が顔画像指定部１８により指定されている方向と異なっていたとしても、コマ画像向き調整部１７の機能によりコマ画像の向きを変えて、顔画像の上方向を自動的に指定方向に向けることができる。これにより、顔画像の上方向がペーパー搬出方向またはその反対方向となっているコマ画像の向きがアルバムページによりチグハグで見苦しいといったことがなく、整然と美しい写真アルバムを提供することができる。
【００２２】
以上のように、各コマ画像における顔画像３７の向き調整処理と余白部Ｂの生成処理を終えたコマ画像の画像データは、コマ画像プリント部１３によりコマ画像ごとに順次プリントデータ作成部２２に送られる。また、折り指示線プリント部１４は、プリントされるコマ画像間のペーパーＡに、そのペーパーＡを蛇腹状に折り畳むための山折り指示線４１に係る画像データと谷折り指示線４２に係る画像データをプリントデータ作成部２２に送る。そして、綴じ位置マークプリント部１５は、ペーパーＡの排出方向の前端４０の近傍、および、プリントされる谷折り指示線４２の近傍のペーパーＡに、綴じ位置を指示する綴じ位置マーク４４に係る画像データをプリントデータ作成部２２に送る。
【００２３】
上記のようにして編集作業が行われ、プリントデータ作成部２２でプリントデータが作成され、適宜一時保管メモリ２３でバッファリングされながらプリント装置６へ送られる。プリント装置６での処理を図５を用いて下記に説明する。図５に示すプリント装置６はデジタル露光式写真プロセッサであり、このデジタル露光式写真プロセッサのコントローラ２４は、アルバム編集装置２からのプリントデータを受信可能にアルバム編集装置２と接続されており、そのプリントデータに基づいて各種動作部材を制御するようになっている。ペーパーＡを出力するためには、まず印画紙マガジン６１からの印画紙６２をプリントデータに規定されているプリントサイズに切断した状態で印画紙搬送機構６３によって露光部６４に搬送供給して、露光部６４のプリントヘッドでプリントデータに基づいて対応する写真画像を印画紙６２に焼き付ける。露光部６４で露光された印画紙６２は、現像部６５に送られて現像され、乾燥の後、仕分けコンペヤ６６にペーパーＡとして送り出される。尚、露光部６４のプリントヘッドは、印画紙６２の搬送方向と直交する方向にレーザービームを送出して走査を行う形式のものの他、蛍光ビーム方式、液晶シャッター方式、ＤＭＤ方式又はＦＯＣＲＴなどが使用される。
【００２４】
このようにしてプリントされた長尺のペーパーＡを図６に示す。このペーパーＡでは、６枚のコマ画像３１〜３６が一連にプリントされている。また、蛇腹状に折り畳んだときに形成されるアルバムページにおいて、アルバムページＰ１，Ｐ２の間、アルバムページＰ３，Ｐ４の間、およびアルバムページＰ５，Ｐ６の間には、それぞれ山折りを指示する山折り指示線４１，４１，４１がプリントされている。アルバムページＰ２，Ｐ３の間およびアルバムページＰ４，Ｐ５の間には、それぞれ谷折りを指示する谷折り指示線４２，４２がプリントされている。また、奇数番目のアルバムページＰ１，Ｐ３，Ｐ５の先端部（前端４０の後方および谷折り指示線４２の後方）および偶数番目のアルバムページＰ２，Ｐ４，Ｐ６の後端部（谷折り指示線４２の前方および後端４４の前方）に、それぞれ余白部Ｂ，Ｂ，Ｂ，・・・が確保されている。これらの余白部Ｂ，Ｂ，Ｂ，・・・には、蛇腹状に折り畳まれた写真アルバムＡ１を綴じる位置を示す２つの綴じ位置マーク４４，４４（円形マーク）がそれぞれプリントされている。これらの綴じ位置マーク４４，４４は、ホチキスで綴じる位置を指示するマーク、あるいは穴開け位置を指示するマークなどであり、そのマーク形状は円形のみならず、星形、三角形、方形、直線形、ホチキス針形、その他の形状を適宜用いることができる。
【００２５】
このようにして得られた長尺のペーパーＡは、図７に示すように、山折り指示線４１の位置で山折りされ谷折り指示線４２の位置で谷折りされて折り畳まれ、その状態で綴じ位置マーク４４，４４，４４，・・・の部分がパンチで穿孔されて綴じ穴４４Ａ，４４Ａ，４４Ａ，・・・となり、これらの綴じ穴４４Ａ，４４Ａ，４４Ａ，・・・に綴じ紐４５を通して締結することにより、簡単な写真アルバムＡ１を得ることができる。
【００２６】
但し、上記の綴じ位置マーク４４は、ペーパーＡの少なくとも排出方向の先端部（前端４０の近傍）にプリントされていればよい。これは、各折り指示線４１，４２の位置で折り畳んで写真プリントＡ１としたときに、ペーパーＡの排出方向先端部の背後には必ず谷折り指示線４２の両側近傍部が重ね合わせられる。そのため、これらを一括に重ねた状態にしてパンチやホチキスを使用する場合、利用者はペーパー排出方向先頭のアルバムページしか視認できず、先頭ページの先端部にのみ綴じ位置マーク４４がプリントされていれば十分だからである。
【００２７】
そして、この写真アルバム作成装置１は、プリント装置６でプリントされたペーパーＰに綴じ穴４４Ａを穿孔する穿孔装置７を備えている。この穿孔装置７は穿孔用の２つの突出片７４，７４を並設した上部の可動刃７１と、この可動刃７１の突出片７４，７４が入り込む２つの型穴７５，７５が形成された固定刃７２と、可動刃７１を上下駆動するアクチュエータとしてのモータ７３とを備えて構成されている。コントローラ３の綴じ穴形成部１９は所定位置で穿孔装置７を駆動させて、２つの綴じ穴４４Ａ，４４ＡをペーパーＡの余白部Ｂに穿孔する。奇数番目のアルバムページＰ１,Ｐ３,Ｐ５の先端部および偶数番目のアルバムページＰ２,Ｐ４,Ｐ６の後端部に、穿孔装置７により穿孔された綴じ穴４４Ａ，４４Ａ，４４Ａ，・・・は、ペーパーＡを綴じる位置を指示している。このように、写真アルバム作成装置１側で綴じ穴４４Ａを穿孔しておくと、利用者がパンチなどにより各折り指示線４１，４２の近傍部分ごとに自分で穿孔する場合と比べ一定位置に穿孔できるから、山折り指示線４１および谷折り指示線４２に沿って正確に折ると綴じ穴４４Ａ，４４Ａ，・・・が一致して連通する。従って、綴じ紐を通しやすく綴じ部回りの見栄えもよい。また、利用者による穿孔の手間も省かれる。
尚、写真アルバムＡ１にされるペーパーＡにおいて、写真アルバムＡ１の最初のページＰ１あるいは途中のページにコマ画像が印刷されていない場合であっても、ペーパーＡにおける奇数番目のページＰ１，Ｐ３，Ｐ５のペーパー先端部および偶数番目のページＰ２，Ｐ４，Ｐ６のペーパー後端部に綴じ穴４４Ａ，４４Ａが穿孔されることは言うまでもない。
【００２８】
上述した実施形態では、印画紙６２に対し、露光部６４のプリントヘッドでプリントデータに基づいた露光を行い、この露光後の印画紙６２に対して複数の現像処理をする、いわゆる銀塩写真プリント方式の写真プリント装置を採用している。しかし、本発明は、例えば、記録媒体としてのフィルムや紙にインクを吐出して画像を形成するインクジェットプリント方式や感熱転写シートを用いた熱転写方式など、種々の写真プリント装置にも勿論採用することができる。
【００２９】
また、上記説明においては、デジタルカメラで撮影した写真画像を用いる例を示したが、アルバム編集装置２に写真フィルム現像機やフィルムスキャナなどを接続して、写真フィルムに記録された写真画像をデジタルデータに変換したものを用いてもよい。勿論、この写真フィルム現像機やフィルムスキャナなどが、プリント装置６と共にミニラボとしてシステム化されていてもよい。また、別途フィルムスキャナ等で取り込まれたデジタルデータを記憶媒体９などを用いて取り込むようにしても構わない。
【図面の簡単な説明】
【００３０】
【図１】本発明の一実施形態に係る写真アルバム作成装置の機能ブロックを含む構成図である。
【図２】アルバムに用いるコマ画像の選択の際に表示装置に表示される表示画面例を示す図である。
【図３】顔画像の上方向の指定を説明する図である。
【図４】前記写真アルバム作成装置によるコマ画像向きの調整処理手順を示すフローチャートである。
【図５】前記写真アルバム作成装置に用いるプリント装置の概略構成図である。
【図６】前記写真アルバム作成装置によりプリントされたペーパーを示す平面図である。
【図７】前記アルバム原紙から得られたアルバムを示す外観図である。
【図８】前記アルバム原紙の綴じ位置を穿孔する態様を説明する概略斜視図である。
【符号の説明】
【００３１】
１    写真アルバム作成装置
２    アルバム編集装置
４    操作装置
６    プリント装置
７    穿孔装置
８    写真画像入力部
９    記憶媒体
１１  プリントモード設定部
１２  画像選択部
１３  コマ画像プリント部
１４  折り指示線プリント部
１５  綴じ位置マークプリント部
１６  顔画像検出部
１７  コマ画像向き調整部
１８  顔方向指定部
１９  綴じ穴形成部
２１  データベース部
３１〜３６  コマ画像
３７  顔画像
４０  前端
４１  山折り指示線
４２  谷折り指示線
４３  後端
４４  綴じ位置マーク
４４Ａ  綴じ穴
Ａ    ペーパー
Ａ１  写真アルバム
Ｂ    余白部
Ｅ    矢印
Ｆ    矢印
Ｐ１〜Ｐ６  アルバムページ
Ｓ１〜Ｓ１２  ステップ
【図１】
2007030481.tif 000003
【図２】
2007030481.tif 000004
【図３】
2007030481.tif 000005
【図４】
2007030481.tif 000006
【図５】
2007030481.tif 000007
【図６】
2007030481.tif 000008
【図７】
2007030481.tif 000009
【図８】
2007030481.tif 000010